(57)【要約】【課題】患者からのナースコールに対し、最寄りの看護師に、自らが該ナースコールに対応すべき看護師であることを認識させるナースコールシステムを提供する。【解決手段】患者からのナースコールを受け付け、各看護師が携行する看護師用端末を呼び出す際に、ナースコールを行った患者の場所と各看護師それぞれの現在場所との位置関係に応じ、各看護師用端末に画面表示する文字情報と各看護師用端末から出力する着信音とを変更して呼び出しを行う。例えば、着信可能な状態にある各看護師の看護師用端末のうち、前記患者の最も近くにいる看護師の看護師用端末には、複数の看護師のうち当該看護師が前記患者の最寄りの看護師であることを示す特別の文字情報および着信音を用い（ステップＡ５０）、その他の看護師の前記看護師用端末には、通常用の文字情報および着信音を用いて（ステップＡ６０）、呼び出しを行う（ステップＡ７０）。【選択図】        図１１
2014204751.tif 000002
【特許請求の範囲】
【請求項１】
入院中の患者の患者用端末からのナースコールを受け付けて複数の看護師それぞれが携行する看護師用端末のうち１ないし複数の看護師用端末に対する呼び出しを行うナースコールシステムにおいて、１ないし複数の各看護師の前記看護師用端末を呼び出す際に、ナースコールを行った患者がいる場所と１ないし複数の看護師それぞれが現在いる場所との位置関係に応じて、前記看護師用端末に画面表示する文字情報と前記看護師用端末から出力する着信音とを変更して、各看護師の前記看護師用端末の呼び出しを行うことを特徴とするナースコールシステム。
【請求項２】
各看護師の前記看護師用端末を呼び出す際に、ナースコールを行った患者がいる場所に最も近い場所にいる看護師の前記看護師用端末に画面表示する前記文字情報および前記看護師用端末から出力する前記着信音を、自看護師がナースコールを行った前記患者の最も近くにいることを明示的に示すためにあらかじめ定めた特別な文字情報および特別な着信音に変更して呼び出しを行うことを特徴とする請求項１に記載のナースコールシステム。
【請求項３】
ナースコールを行った患者がいる場所に最も近い場所にいる看護師の前記看護師用端末が着信することが不可能な状態にあった場合には、着信可能な状態にある各看護師の前記看護師用端末のうち、ナースコールを行った前記患者の最も近い場所にいる看護師の前記看護師用端末に関して、画面表示する前記文字情報および該看護師用端末から出力する前記着信音を、前記特な文字情報および前記特別な着信音に変更して呼び出しを行うことを特徴とする請求項２に記載のナースコールシステム。
【請求項４】
各看護師の前記看護師用端末を呼び出す際に、各看護師の前記看護師用端末それぞれに画面表示する前記文字情報および前記看護師用端末から出力する前記着信音として、各看護師のうち自看護師がいる場所がナースコールを行った前記患者がいる場所から何番目に近いかという近い順番を明示的に示すためにあらかじめ定めた特別な文字情報および特別な着信音を用いて呼び出しを行うことを特徴とする請求項１ないし３のいずれかに記載のナースコールシステム。
【請求項５】
１ないし複数の各看護師の前記看護師用端末を呼び出す際に、ナースコールを行った前記患者がいる場所に近い順番に、あらかじめ定めた時間差ずつずらして、各看護師の前記看護師用端末を順番に呼び出すという時間差呼び出しを行うことを特徴とする請求項１ないし４のいずれかに記載のナースコールシステム。
【請求項６】
患者がナースコールを行う前記患者用端末は、固定設置された固定式の端末または患者が携行して移動することが可能な移動式の端末のいずれかであることを特徴とする請求項１ないし５のいずれかに記載のナースコールシステム。
【請求項７】
看護師が携行する前記看護師用端末および患者が携行する移動式の前記患者用端末は、ＰＨＳ（Personal  Handy-phone  System）用基地局と無線通信を行うＰＨＳ端末、または、無線ＬＡＮ（Local  Area  Network）用アクセスポイントと無線通信を行う無線ＬＡＮ子機からなることを特徴とする請求項６に記載のナースコールシステム。
【請求項８】
看護師が携行する前記看護師用端末、患者が携行する移動式の前記患者用端末それぞれが存在する無線通信エリアをカバーする前記ＰＨＳ用基地局または前記無線ＬＡＮ用アクセスポイントの位置を、前記看護師用端末、移動式の前記患者用端末それぞれが現在所在している位置として特定することを特徴とする請求項７に記載のナースコールシステム。
【請求項９】
入院中の患者の患者用端末からのナースコールを受け付けて複数の看護師それぞれが携行する看護師用端末のうち１ないし複数の看護師用端末に対する呼び出しを行うナースコール制御方法であって、１ないし複数の各看護師の前記看護師用端末を呼び出す際に、ナースコールを行った患者がいる場所と１ないし複数の看護師それぞれが現在いる場所との位置関係に応じて、前記看護師用端末に画面表示する文字情報と前記看護師用端末から出力する着信音とを変更して、各看護師の前記看護師用端末の呼び出しを行うことを特徴とするナースコール制御方法。
【請求項１０】
請求項９に記載のナースコール制御方法を、コンピュータによって実行可能なプログラムとして実施していることを特徴とするナースコール制御プログラム。
【発明の詳細な説明】
【技術分野】
【０００１】
本発明は、ナースコールシステム、ナースコール制御方法およびナースコール制御プログラムに関し、特に、患者からのナースコールによる看護師用端末への着信があった看護師に、自分がナースコールを行った患者に応答して対応すべき最寄りの看護師か否かを認識させることを可能にするナースコールシステム、ナースコール制御方法およびナースコール制御プログラムに関する。
【背景技術】
【０００２】
従来より、病院等を含む医療機関に入院している患者が、緊急時に、ナースコール子機を使用して、担当の複数の看護師を同時に呼び出すという看護支援方法がある。しかし、呼び出された複数の看護師のうち一番早く応答した看護師がナースコールを行った患者の近くに留まっているとは限らず、ナースコールを行った患者の元へ行くまでに時間がかかってしまうということがあった。また、或る患者がナースコール子機を使用して複数の看護師を呼び出した状態にある場合には、他の患者がナースコール子機を使用して同じ複数の看護師を呼び出そうとしても、最初の患者の呼び出しに対していずれかの看護師が応答するまでの間、他の患者からは看護師に対する呼び出しを行うことができなくなる。
【０００３】
かかる事態を解決するために、最寄りの移動局例えばＰＨＳ（Personal  Handy-phone  System）端末を呼び出す方法として、例えば特許文献１の特開平１０−０４２３４０号公報「移動局呼び出し方法および移動局呼び出し装置」等に記載されている方法が提案されている。該特許文献１に記載の技術は、例えば、ナースコールを行ったＰＨＳ端末が所在する現在位置のエリアをカバーする１ないし複数の基地局を特定して、特定した基地局のエリア内に在圏する担当者のＰＨＳ端末のみに対して呼び出しを行うという技術であり、要請元例えば患者の最寄りに所在する担当者例えば看護師と速やかに連絡を取ることができる。
【先行技術文献】
【特許文献】
【０００４】
【特許文献１】特開平１０−０４２３４０号公報（第２−４頁）
【発明の開示】
【発明が解決しようとする課題】
【０００５】
しかしながら、従来の技術においては、前記特許文献１に記載のような従来の最寄りの移動局例えばＰＨＳ子機のみを呼び出すという方法においても、呼び出された複数の看護師のうちどの看護師が最寄りの看護師であるかいうことを明示する仕組みを有していないため、たとえ、最寄りの看護師であったとしても、当該看護師が呼び出しに対して積極的に応答すべきであるという動機付けがなされていない側面がある。また、最寄りの看護師のＰＨＳ子機が通信圏外になっている等の理由によって呼び出しを行うことができなかった場合、あるいは、最寄りの看護師が他の患者に対応していて応答することができなかった場合、他のＰＨＳ子機に対する呼び出しに切り替えることが遅くなるために、応答が遅れ、緊急時の対応ができなくなるという課題もあった。
【０００６】
（本発明の目的）
本発明は、かかる事情に鑑みてなされたものであり、病院等の医療機関において、入院中の患者からのナースコールがあった際に、ナースコールを行った患者の最寄りに所在する看護師が、該呼び出しに応答して対応すべき看護師が自分であることを確実に認識することができ、かつ、最寄りの看護師が応答することができない場合には、次に最寄りに所在する看護師に対して対応すべき看護師が自分であることを認識させることを可能にすることを、その目的としている。つまり、本発明は、病院等の医療機関において、入院中の患者からのナースコールがあった際に、応答可能な状態にある最寄りの看護師に、自らが該ナースコールに積極的に対応すべき看護師か否かを認識させることが可能な仕組みを有するナースコールシステム、ナースコール制御方法およびナースコール制御プログラムを提供することを、その目的としている。
【課題を解決するための手段】
【０００７】
前述の課題を解決するため、本発明によるナースコールシステム、ナースコール制御方法およびナースコール制御プログラムは、主に、次のような特徴的な構成を採用している。
【０００８】
（１）本発明によるナースコールシステムは、入院中の患者の患者用端末からのナースコールを受け付けて複数の看護師それぞれが携行する看護師用端末のうち１ないし複数の看護師用端末に対する呼び出しを行うナースコールシステムにおいて、１ないし複数の各看護師の前記看護師用端末を呼び出す際に、ナースコールを行った患者がいる場所と１ないし複数の看護師それぞれが現在いる場所との位置関係に応じて、前記看護師用端末に画面表示する文字情報と前記看護師用端末から出力する着信音とを変更して、各看護師の前記看護師用端末の呼び出しを行うことを特徴とする。
【０００９】
（２）本発明によるナースコール制御方法は、入院中の患者の患者用端末からのナースコールを受け付けて複数の看護師それぞれが携行する看護師用端末のうち１ないし複数の看護師用端末に対する呼び出しを行うナースコール制御方法であって、１ないし複数の各看護師の前記看護師用端末を呼び出す際に、ナースコールを行った患者がいる場所と１ないし複数の看護師それぞれが現在いる場所との位置関係に応じて、前記看護師用端末に画面表示する文字情報と前記看護師用端末から出力する着信音とを変更して、各看護師の前記看護師用端末の呼び出しを行うことを特徴とする。
【００１０】
（３）本発明によるナースコール制御プログラムプログラムは、前記（２）に記載のナースコール制御方法を、コンピュータによって実行可能なプログラムとして実施していることを特徴とする。
【発明の効果】
【００１１】
本発明のナースコールシステム、ナースコール制御方法およびナースコール制御プログラムによれば、以下のような効果を奏することができる。
【００１２】
第１に、ナースコールを行った患者と各看護師との位置関係に基づいて、ナースコールを行った患者の場所から最も近くにいる看護師が携行している看護師用端末に対して、最寄りであることを示す特別な文字情報の画面表示と特別な着信音の出力とにより呼び出しを行うことが可能になるので、最も近くにいる看護師は、自分がナースコールを行った患者の最も近くにいて、該患者の呼び出しに応答して対応すべき看護師であることを確実に認識することができる。而して、ナースコールを行った患者の最も近くにいる看護師は、自分が対応すべき看護師であることを積極的に意識して応答することができるようになり、結果として、ナースコールを行った患者の元へ速やかに移動することができる。
【００１３】
第２に、ナースコールを行った患者と各看護師との位置関係に基づいて、ナースコールを行った患者の場所から近くにいる看護師の順に、あらかじめ定めた時間差ずつずらして、各看護師が携行している看護師用端末を順次呼び出すことも可能になる。而して、離れた場所にいる複数の患者が同時に看護師を呼び出そうとする場合に、全ての看護師の看護師用端末に対して同時に一斉呼び出しを行う場合とは異なり、それぞれの患者の近くにいる看護師を別々に呼び出すことができるので、それぞれの患者の元へ別々の看護師が速やかに移動することができる。
【図面の簡単な説明】
【００１４】
【図１】本発明によるナースコールシステムのシステム構成の一例を示すシステム構成図である。
【図２】図１のナースコールシステムを適用した病院の物理的な構造例を説明するための平面図である。
【図３】看護師の移動に伴い、携行している看護師用端末の収容先の構内基地局が変化する様子を説明するための模式図である。
【図４】図１に示すナースコール制御装置内の患者用端末（固定用）場所情報リストの一例を示すテーブルである。
【図５】図１に示すナースコール制御装置内の患者用端末（移動用）場所情報リストの一例を示すテーブルである。
【図６】図１に示すナースコール制御装置内の最寄りＣＳ番号リストの一例を示すテーブルである。
【図７】図１に示すナースコール制御装置内の収容看護師用端末番号記憶部の一例を示すテーブルである。
【図８】図１に示すナースコール制御装置内の看護師用端末呼び出し順記憶部の一例を示すテーブルである。
【図９】患者用端末から呼び出しがあった際に看護師用端末に対して画面表示する文字情報と看護師用端末から出力する着信音の一例を説明するための模式図である。
【図１０】図１に示すナースコール制御装置０内の近い順ＣＳ番号リストの一例を示すテーブルである。
【図１１】固定用の患者用端末または移動用の患者用端末から最寄りの看護師を優先して呼び出す動作の一例を説明するためのフローチャートである。
【図１２】図８に示す看護師用端末呼び出し順記憶部の設定情報を生成する動作の一例を説明するためのフローチャートである。
【図１３】患者用端末からの呼び出しに対応すべき看護師用端末を順次指定して時間差呼び出しを行う動作の一例を説明するためのフローチャートである。
【図１４】呼び出し順にあらかじめ定めた時間差ごとに看護師用端末の時間差呼び出しを行っている最中に、既に呼び出しを行った看護師用端末のいずれかが応答した場合の動作を説明するためのフローチャートである。
【発明を実施するための形態】
【００１５】
以下、本発明によるナースコールシステム、ナースコール制御方法およびナースコール制御プログラムの好適な実施形態について添付図を参照して説明する。なお、以下の説明においては、本発明によるナースコールシステムおよびナースコール制御方法について説明するが、かかるナースコール制御方法をコンピュータにより実行可能なナースコール制御プログラムとして実施するようにしても良いし、あるいは、ナースコール制御プログラムをコンピュータにより読み取り可能な記録媒体に記録するようにしても良いことは言うまでもない。
【００１６】
（本発明の特徴）
本発明の実施形態の説明に先立って、本発明の特徴についてその概要をまず説明する。本発明は、病院等の医療機関に入院している患者が緊急時に患者用端末（ナースコール子機）を使用して看護師を呼び出そうとする場合に備えて、各看護師が現在いる場所（位置）を、場所の移動が発生する都度またはあらかじめ定めた周期で定期的に収集しておき、各看護師が携行している看護師用端末を呼び出す際に、ナースコールを行った患者と看護師との位置関係に応じて、それぞれの看護師用端末に画面表示する文字情報や看護師用端末から出力する着信音を変更させることを、主要な特徴としている。
【００１７】
より具体的には、本発明は、病院等の医療機関に入院している患者が患者用端末（ナースコール子機）を使用して看護師を呼び出す際に、ナースコールを行った患者の最も近い位置に存在する最寄りの看護師が携行している看護師用端末に対して、自分が最も近くにいる看護師であることを通知して、当該看護師に該呼び出しに積極的に応答して対応すべき旨を認識させることができるように、あらかじめ定めた特別な文字情報表示と特別な着信音の出力とを用いて呼び出すことによって、当該看護師に対し、複数の看護師のうち自分が最も近くに存在していることを通知することを主要な特徴としている。
【００１８】
また、ナースコールを行った患者の最寄りに存在する看護師の看護師用端末が通話中の状態にあるか、または、他の患者への対応のために応答することができない状態（着信拒否や電源ＯＦＦ等の状態）にあった場合であっても、ナースコールを行った当該患者に対してその次に近くに存在する看護師を該呼び出しに応答して対応すべき看護師と見做してその旨を特別な文字情報表示と特別な着信音出力とを用いて通知することも主要な特徴としている。
【００１９】
而して、特別な文字情報表示と特別な着信音出力とを用いた通知を受け取った看護師は、自分がナースコールを行った患者の最も近い位置にいて、当該患者に対応すべき看護師であることを認識することができ、患者の呼び出しに対して積極的に応答して、ナースコールを行った患者と速やかに連絡を取ることができ、いち早く、ナースコールを行った患者の元へ移動することができる。
【００２０】
また、各看護師がいる場所（位置）を場所の移動が発生する都度またはあらかじめ定めた周期で定期的に収集しているので、離れた場所にいる複数の患者がほぼ同時にそれぞれの患者用端末（ナースコール子機）を使用して看護師を呼び出そうとする場合に、あらかじめ定めた時間差ずつずらしたタイミングで、ナースコールを行った各患者それぞれとの距離が近い順番に看護師を順次呼び出すという時間差呼び出しを行うことを可能にしていることも特徴としている。
【００２１】
かくのごとき時間差呼び出しを行うことにより、複数の患者からのほぼ同時のナースコールに対して、それぞれ、各看護師の看護師用端末に対して同時に一斉呼び出しを行う場合には、各看護師の看護師用端末が全て最初の患者からの呼び出し状態に移行してしまって、最初の患者からの呼び出しに対していずれかの看護師用端末が応答するまでの間、他の患者からの呼び出しを行うことができなくなるという事態を回避することができ、それぞれの患者の近くにいる看護師を別々に呼び出すことができる。
【００２２】
また、時間差呼び出しを行う際に、各看護師の看護師用端末に対する呼び出し順を示す特別な文字情報の画面表示と特別な着信音の出力とにより、各看護師は、自分が何番目に呼び出されているかを認識することができる。而して、第１番目に呼び出された看護師は、自分がナースコールを行った患者の最も近い位置にいて、当該患者に対応すべき看護師であることを認識することができ、患者の呼び出しに対して積極的に応答して、ナースコールを行った患者と速やかに連絡を取ることができ、いち早く、ナースコールを行った患者の元へ移動することができる。
【００２３】
（実施形態の構成例）
次に、本発明によるナースコールシステムの実施形態の構成例について図１のシステム構成図を用いて説明する。図１は、本発明によるナースコールシステムのシステム構成の一例を示すシステム構成図である。図１に示すナースコールシステムは、病院等の医療機関内に設定されたシステムであり、システム全体の動作を制御するナースコール制御装置１１０と、各看護師それぞれが携行する複数の看護師用端末１３０と、看護師用端末１３０との間の無線通信を行う構内基地局（ＣＳ：Cell  Station）１２０と、各病室等に固定して設置されている固定用の患者用端末１００と、を少なくとも含んで構成される。
【００２４】
ここで、固定用の患者用端末１００および構内基地局１２０は、ナースコール制御装置１１０と接続されて、ナースコール制御装置１１０との間で情報を送受信することができる。また、看護師用端末１３０は、構内基地局１２０を介して、ナースコール制御装置１１０との間で情報を送受信することができる。なお、廊下や階段等を移動中の患者の連絡用として、移動中の患者が携行する移動用の患者用端末２００も備えている。該移動用の患者用端末２００は、構内基地局（ＣＳ：Cell  Station）１２０との間で無線通信を行い、ナースコール制御装置１１０との間で情報を送受信することができる。
【００２５】
図１に示すナースコールシステムを導入している病院の物理的な構造例を図２に示している。図２は、図１のナースコールシステムを適用した病院の物理的な構造例を説明するための平面図であり、入院患者の病室用として２階と３階とに、それぞれ、各病室当たり２人ずつの患者を収容することが可能な病室２０１〜病室２０６と病室３０１〜病室３０６との合計１２個の病室が設けられている例を示している。図２に示すように、各病室内には、ナースコールを行うための固定用の患者用端末１００が固定設置されている。また、廊下や階段等を移動する患者が携行している患者用端末２００および各看護師が携行している看護師用端末１３０のそれぞれの無線通信エリアを少なくともカバーするために、２階と３階とに、それぞれ、４台ずつの構内基地局１２０が配置されていて、合計８台の構内基地局１２０により無線通信可能なエリアとして病院全域をカバーしている。
【００２６】
なお、以下の説明においては、説明を簡素化するために、構内基地局１２０は、基地局番号'０'から基地局番号'７'までの８台が配置され、看護師用端末１３０は、看護師用端末番号'０'から看護師用端末番号'１５'までの１６台が配置され、固定用の患者用端末１００が固定設置されている病室は部屋番号'０'から部屋番号'１１'までの１２部屋設けられている例について説明するが、これらの各台数や部屋数はかかる場合に限るものではなく、任意の個数であって構わないことは言うまでもない。
【００２７】
また、ナースコール制御装置１１０は、各病室やトイレ等それぞれごとに最寄りの構内基地局１２０を特定する基地局（ＣＳ）番号をあらかじめ登録している最寄りＣＳ番号リスト１４０と、各看護師が携行している看護師用端末１３０の番号を現在の位置にて通信可能な構内基地局１２０の基地局番号（ＣＳ番号）と関連付けて記憶する収容看護師用端末番号記憶部１５０と、各構内基地局１２０それぞれごとに近くに配置されている順にそれぞれの構内基地局１２０の基地局番号（ＣＳ番号）を登録している近い順ＣＳ番号リスト１６０と、固定用の各患者用端末１００ごとに看護師用端末１３０を呼び出す順番を記憶する看護師用端末呼び出し順記憶部１７０と、固定用の患者用端末１００が所在する場所を登録している患者用端末（固定用）場所情報リスト１８０と、移動用の患者用端末２００が所在する場所を登録している患者用端末（移動用）場所情報リスト１９０と、を少なくとも備えている。
【００２８】
ここで、構内基地局１２０には、それぞれを特定することができるユニークな番号が基地局番号（ＣＳ番号）として付されており、各基地局番号（ＣＳ番号）はナースコール制御装置１１０内にあらかじめ登録されて保存されている。
【００２９】
また、看護師用端末１３０には、それぞれを特定することができるユニークな番号が看護師用端末番号として付されており、各看護師がいる場所（位置）を場所の移動が発生する都度またはあらかじめ定めた周期で定期的に収集して、図７に例示するように、看護師が現在所在している場所で無線通信が可能な構内基地局１２０を特定する基地局番号（ＣＳ番号）と関連付けて、各看護師の看護師用端末１３０の看護師用端末番号がナースコール制御装置１１０内の収容看護師用端末番号記憶部１５０に記憶されている。図７は、図１に示すナースコール制御装置１１０内の収容看護師用端末番号記憶部１５０の一例を示すテーブルであり、２段引きのテーブル構成からなり、親テーブルがＣＳ番号１５０ａと収容看護師用端末リンク情報１５０ｂとからなり、各収容看護師用端末リンク情報１５０ｂによって索引される子テーブルが収容看護師用端末番号１５０ｃ０〜収容看護師用端末番号１５０ｃ７から構成されている例を示している。
【００３０】
図７に示す収容看護師用端末番号記憶部１５０の設定例においては、例えば、ＣＳ番号１５０ａが'ＣＳ−０'すなわち構内基地局１２０の基地局番号（ＣＳ番号）が'０'の収容看護師用端末リンク情報１５０ｂの'収容リンク−０'がリンクしている収容看護師用端末番号１５０ｃ０には、'看護師用端末番号−０'と'看護師用端末番号−１'とが設定されていて、基地局番号（ＣＳ番号）が'０'の構内基地局１２０の無線通信エリアには、現在、看護師用端末番号が'０'の看護師用端末１３０と看護師用端末番号が'１'の看護師用端末１３０との２台の看護師用端末１３０が存在している例を示している。
【００３１】
また、ＣＳ番号１５０ａが'ＣＳ−７'すなわち構内基地局１２０の基地局番号（ＣＳ番号）が'７'の収容看護師用端末リンク情報１５０ｂの'収容リンク−７'がリンクしている収容看護師用端末番号１５０ｃ７には、'看護師用端末番号−１５'のみが設定されていて、基地局番号（ＣＳ番号）が'７'の構内基地局１２０の無線通信エリアには、現在、看護師用端末番号が'１５'の看護師用端末１３０のみが存在している例を示している。
【００３２】
固定用の患者用端末１００には、配置されているそれぞれの病室等の部屋番号が付されており、図６に例示するように、各病室等の部屋番号ごとに、固定用の患者用端末１００が配置されているそれぞれの部屋（病室等）から物理的に最も近くに所在する最寄りの各構内基地局１２０を識別するための基地局番号（ＣＳ番号）が、ナースコール制御装置１１０内の最寄りＣＳ番号リスト１４０に登録されている。図６は、図１に示すナースコール制御装置１１０内の最寄りＣＳ番号リスト１４０の一例を示すテーブルであり、部屋番号１４０ａと最寄りＣＳ番号１４０ｂとから構成されている例を示している。
【００３３】
図６に示す最寄りＣＳ番号リスト１４０の登録例においては、例えば、部屋番号１４０ａが'０'の部屋に配置されている固定用の患者用端末１００に物理的に最も近い構内基地局１２０は基地局番号（ＣＳ番号）が'ＣＳ−０'すなわち基地局番号が'０'の構内基地局１２０であり、部屋番号１４０ａが'１'の部屋に配置されている固定用の患者用端末１００に物理的に最も近い構内基地局１２０は基地局番号（ＣＳ番号）が'ＣＳ−１' すなわち基地局番号が'１'の構内基地局１２０であり、また、部屋番号１４０ａが'２'の部屋に配置されている固定用の患者用端末１００に物理的に最も近い構内基地局１２０も基地局番号（ＣＳ番号）が'ＣＳ−１' すなわち基地局番号が'１'の構内基地局１２０であることを示している。
【００３４】
また、各病室を示す病室名は、図４に例示するように、固定用の患者用端末１００が固定設置されている場所情報として、部屋番号と対応付けて、ナースコール制御装置１１０内の患者用端末（固定用）場所情報リスト１８０に登録されている。図４は、図１に示すナースコール制御装置１１０内の患者用端末（固定用）場所情報リスト１８０の一例を示すテーブルであり、部屋番号１８０ａと患者用端末（固定用）場所情報１８０ｂとから構成されている例を示している。
【００３５】
図４に示す患者用端末（固定用）場所情報リスト１８０の登録例においては、例えば、部屋番号１８０ａが'０'の部屋に配置されている固定用の患者用端末１００の場所情報は、患者用端末（固定用）場所情報１８０ｂに示すように、'病室２０１'であり、部屋番号１８０ａが'１'の部屋に配置されている固定用の患者用端末１００の場所情報は、患者用端末（固定用）場所情報１８０ｂに示すように、'病室２０２'であることを示している。
【００３６】
また、病室以外のトイレや階段や廊下等は、図５に例示するように、移動の患者用端末１００を携行している患者が移動中の場所情報として場所の移動が発生する都度またはあらかじめ定めた周期で定期的に収集され、基地局番号（ＣＳ番号）と対応付けて、ナースコール制御装置１１０内の患者用端末（移動用）場所情報リスト１９０に登録されている。図５は、図１に示すナースコール制御装置１１０内の患者用端末（移動用）場所情報リスト１９０の一例を示すテーブルであり、ＣＳ番号１９０ａと患者用端末（移動用）場所情報１９０ｂとから構成されている例を示している。
【００３７】
図５に示す患者用端末（移動用）場所情報リスト１９０の登録例においては、例えば、ＣＳ番号１９０ａが'０'の構内基地局１２０の無線通信エリアに在圏している移動用の患者用端末１００の場所情報は、図２の病院内の構造例に示すように、'２階トイレ付近'であり、ＣＳ番号１９０ａが'１'の構内基地局１２０の無線通信エリアに在圏している移動用の患者用端末１００の場所情報は、図２の病院内の構造例に示すように、'病室２０２付近の廊下'であることを示している。
【００３８】
（実施形態の動作の説明）
次に、図１に示したナースコールシステムの動作について、その一例を、図３ないし図１４の各図面を参照しながら説明する。なお、構内基地局１２０と看護師用端末１３０および移動用の患者用端末２００として、無線ＬＡＮ（Local  Area  Network）親機（アクセスポイント）と無線ＬＡＮ子機とを用いるようにしても良いが、以下の説明においては、ＰＨＳ（Personal  Handy-phone  System）用基地局とＰＨＳ端末とを用いている場合について説明する。
【００３９】
病院等の医療機関に勤務している看護師は、それぞれ、ナースコールの受信用の無線端末として、看護師用端末１３０を携行している。看護師が携行する看護師用端末１３０は、看護師の現在位置に応じて、病院等の医療機関内に設置されている１ないし複数の構内基地局１２０（図２に示す病院の例においては、８台の構内基地局１２０）のいずれか１ないし複数の無線通信エリア内に在圏し、在圏する無線通信エリアの構内基地局１２０に収容された状態になり、当該構内基地局１２０との無線通信が可能な状態になっている。
【００４０】
看護師が業務に応じて病院内を移動すると、携行している看護師用端末１３０が収容される構内基地局１２０が図３に示すように変化する。図３は、看護師の移動に伴い、携行している看護師用端末１３０の収容先の構内基地局１２０が変化する様子を説明するための模式図である。図３の模式図においては、看護師が基地局番号（ＣＳ番号）'０'の構内基地局１２０の無線通信エリアから基地局番号（ＣＳ番号）'１'の構内基地局１２０の無線通信エリアに移動した場合を示しており、当該看護師が携行している看護師用端末１３０の収容先の構内基地局１２０は、基地局番号（ＣＳ番号）'０'の構内基地局１２０から基地局番号（ＣＳ番号）'１'の構内基地局１２０に変化する。
【００４１】
かくのごとき収容される構内基地局１２０の変化が発生した場合には、新たに無線通信エリアに移動してきた看護師用端末１３０を検知した基地局番号（ＣＳ番号）'１'の構内基地局１２０は、ナースコール制御装置１１０に対して当該看護師が携行している看護師用端末１３０に関する位置登録情報を通知する。該位置登録情報を受け取ったナースコール制御装置１１０は、図７に示した収容看護師用端末番号記憶部１５０の記憶内容を更新する。また、ナースコール制御装置１１０は、各看護師用端末１３０の現在位置をあらかじめ定めた周期で定期的に各構内基地局１２０から収集して、図７に示した収容看護師用端末番号記憶部１５０の記憶内容を更新する動作も行っている。
【００４２】
（患者用端末から看護師用端末への呼び出し動作例）
次に、図１１に示すフローチャートを用いて、固定用の患者用端末１００または移動用の患者用端末２００から最寄りの看護師を優先して呼び出す動作についてその一例を説明する。図１１は、固定用の患者用端末１００または移動用の患者用端末２００から最寄りの看護師を優先して呼び出す動作の一例を説明するためのフローチャートであり、患者が固定用の患者用端末１００または移動用の患者用端末２００の呼び出しボタンを押下操作することによって、当該患者の病室または当該患者が移動中の場所に最も近い場所に所在している最寄りの看護師が携行している看護師用端末１３０に対して、自分が最寄りの看護師であることを明示的に示すためにあらかじめ定めた特別な文字情報の表示と特別な着信音の出力とによって、当該看護師にその旨を通知する場合について示している。
【００４３】
病室に固定設置されている固定用の患者用端末１００または移動用の患者用端末２００の呼び出しボタンを患者が押下することにより、患者が在室している或る病室の固定用の患者用端末１００または移動中の患者が携行している移動用の患者用端末２００から看護師の看護師用端末１３０への呼び出しがナースコール制御装置１１０へ通知されてくると、図１１のフローチャートが起動される。図１１のフローチャートが起動されると、ナースコール制御装置１１０は、ナースコールを行った患者用端末の種類が、固定用の患者用端末１００と移動用の患者用端末２００とのいずれであるかを確認する（ステップＡ１０）。ここで、該通知には、発信元を示す情報が含まれており、患者用端末の種類が固定用の患者用端末１００の場合には、病室の部屋番号がさらに含まれている。
【００４４】
ナースコールを行った患者用端末の種類が、固定用の患者用端末１００であった場合には（ステップＡ１０の'固定端末'の場合）、発信元情報に含まれている部屋番号を用いて、図６に示した最寄りＣＳ番号リスト１４０を参照して、該部屋番号の病室に物理的に最も近い基地局番号（ＣＳ番号）を、最寄りＣＳ番号として抽出する（ステップＡ２０）。さらに、発信元情報に含まれている部屋番号を用いて、図４に示した患者用端末（固定用）場所情報リスト１８０を参照して、該部屋番号の病室の病室名を、ナースコールを行った固定用の患者用端末１００が所在する場所情報として抽出した後（ステップＡ２１）、ステップＡ３０の処理に移行する。
【００４５】
また、ナースコールを行った患者用端末の種類が、移動用の患者用端末２００であった場合には（ステップＡ１０の'移動端末'の場合）、発信元情報には、看護師の看護師用端末１３０を呼び出している旨をナースコール制御装置１１０に通知してきた構内基地局１２０の基地局番号（ＣＳ）番号が含まれているので、当該基地局番号（ＣＳ）番号を、発信元の移動用の患者用端末２００に物理的に最も近い構内基地局１２０を示す最寄りの基地局番号（ＣＳ番号）として抽出する（ステップＡ２２）。さらに、発信元情報に含まれている基地局番号（ＣＳ番号）を用いて、図５に示した患者用端末（移動用）場所情報リスト１９０を参照して、該基地局番号（ＣＳ番号）の構内基地局１２０が配置されている場所を、ナースコールを行った移動用の患者用端末２００が所在する場所情報として抽出した後（ステップＡ２３）、ステップＡ３０の処理に移行する。
【００４６】
ステップＡ３０においては、詳細は図１２のフローチャートを参照して後述するが、看護師用端末呼び出し順記憶部生成処理を実行することにより、固定用の患者用端末１００または移動用の患者用端末２００からのナースコールに対して、応答して対応すべき順番を示す看護師用端末１３０の呼び出し順を生成して、図８に示すように、ナースコールを行った患者用端末１００または患者用端末２００を示す患者用端末番号に関連付けて、看護師用端末呼び出し順記憶部１７０に設定する（ステップＡ３０）。
【００４７】
図８は、図１に示すナースコール制御装置１１０内の看護師用端末呼び出し順記憶部１７０の一例を示すテーブルであり、２段引きのテーブル構成からなり、親テーブルが患者用端末番号１７０ａと呼び出し順看護師用端末リンク情報１７０ｂとからなり、各呼び出し順看護師用端末リンク情報１７０ｂによって索引される子テーブルが呼び出し順看護師用端末番号１７０ｃ０、呼び出し順看護師用端末番号１７０ｃ１、呼び出し順看護師用端末番号１７０ｃ２、…から構成されている例を示している。なお、後述する図１２のフローチャートにおいては、看護師用端末呼び出し順記憶部１７０には、応答して対応すべき看護師用端末１３０の呼び出し順として、ナースコールを行った患者用端末１００または患者用端末２００が所在している場所に対して物理的に近くに所在する看護師用端末１３０を優先して呼び出すように、呼び出し順の看護師用端末１３０の順番が生成されて設定登録する動作例を示している。
【００４８】
つまり、図８に示す看護師用端末呼び出し順記憶部１７０の設定例においては、ナースコールを行った患者用端末１００または患者用端末２００に物理的に近い順番に看護師用端末１３０を特定する看護師用端末番号が設定登録されており、例えば、患者用端末番号１７０ａが'０'の呼び出し順看護師用端末リンク情報１７０ｂの'呼び出しリンク−０'がリンクしている呼び出し順看護師用端末番号１７０ｃ０には、'看護師用端末番号−０'、'看護師用端末番号−１'、'看護師用端末番号−２'、…、'看護師用端末番号−１５'の順に設定されていて、患者用端末番号'０'の病室２０１にいる患者の患者用端末１００からのナースコールがあった際に、呼び出し順看護師用端末番号１７０ｃ０の順番に応答して対応すべき看護師用端末１３０である旨を設定している例を示している。
【００４９】
また、患者用端末番号１７０ａが'２'の呼び出し順看護師用端末リンク情報１７０ｂの'呼び出しリンク−２'がリンクしている呼び出し順看護師用端末番号１７０ｃ２には、'看護師用端末番号−２'、'看護師用端末番号−３'、'看護師用端末番号−０'、…、'看護師用端末番号−１５'の順に設定されていて、患者用端末番号'２'の病室２０２にいる患者の患者用端末１００からのナースコールがあった際に、呼び出し順看護師用端末番号１７０ｃ２の順番に応答して対応すべき看護師用端末１３０である旨を設定している例を示している。
【００５０】
図１１のフローチャートの説明に戻って、次に、あらかじめ設定されている呼び出し方法を参照して、看護師用端末３０を呼び出す方法をチェックする（ステップＡ４０）。呼び出し方法として、全ての看護師用端末１３０を同時に「一斉呼び出し」を行う場合には（ステップＡ４０の'一斉'の場合）、図８に示した看護師用端末呼び出し順記憶部１７０を参照して、ナースコールを行った患者用端末１００または患者用端末２００の患者用端末番号例えば患者用端末番号'２'に対応付けて登録されている呼び出し順看護師用端末番号例えば呼び出し順看護師用端末番号１７０ｃ２の中から最も先頭に設定登録されている看護師用端末番号の看護師用端末１３０例えば'看護師用端末−２'の看護師用端末１３０を、最も優先して対応すべき最寄りの看護師用端末１３０として抽出する。
【００５１】
抽出した看護師用端末１３０に対しては、図９（Ａ）または図９（Ｂ）に示すように、最も物理的に近い場所にいて最も優先して対応すべき最寄りの看護師用端末１３０としてあらかじめ定めた特別な文字情報を画面表示するとともに（ステップＡ５０）、あらかじめ定めた特別な着信音を出力させて、当該看護師用端末１３０を携行している看護師に通報する（ステップＡ７０）。このとき、ステップＡ２１またはステップＡ２３において、図４の患者用端末（固定用）場所情報リスト１８０または図５の患者用端末（移動用）場所情報リスト１９０を参照して取得しておいた、ナースコールを行った患者用端末１００または患者用端末２００が所在する場所情報も、当該看護師用端末１３０に画面表示して看護師に通知している（ステップＡ５０）。
【００５２】
また、呼び出し順看護師用端末番号１７０ｃ２の第２番目以降に設定登録されている看護師用端末１３０に対しては、図９（Ｃ）に示すように、通常用の呼び出し方法として、特別な文字情報を画面表示することなく、ステップＡ２１またはステップＡ２３において取得しておいた、ナースコールを行った患者用端末１００または患者用端末２００が所在する場所情報を画面表示し（ステップＡ６０）、通常用としてあらかじめ定めた着信音を出力させて看護師に通報する（ステップＡ７０）。つまり、「一斉呼び出し」の場合、最寄りの看護師用端末１３０に対しては最寄りである旨を示す特別な文字情報および患者がいる場所情報を画面表示した後、最寄り用の着信音を用いて、また、最寄りではないその他の看護師用端末１３０に対しては患者がいる場所情報を画面表示した後、通常用の着信音を用いて、ナースコール制御装置１１０に収容されている全ての看護師用端末１３０に対して同時に一斉に呼び出している（ステップＡ７０）。
【００５３】
また、呼び出し方法として、全ての看護師用端末１３０を同時にではなく、あらかじめ定めた時間差を設けて順次呼び出す「時間差呼び出し」を行う場合には（ステップＡ４０の'時間差'の場合）、ナースコールを行った患者用端末１００または患者用端末２００に物理的に近い順にあらかじめ定めた時間差を設けて順次看護師用端末１３０を呼び出す動作を行う。
【００５４】
したがって、図８に示す看護師用端末呼び出し順記憶部１７０の呼び出し順看護師用端末番号１７０ｃ０、呼び出し順看護師用端末番号１７０ｃ１、呼び出し順看護師用端末番号１７０ｃ２、…のうち、ナースコールを行った患者用端末１００または患者用端末２００例えば患者用端末番号'０'の患者用端末１００に対応する呼び出し順看護師用端末番号例えば呼び出し順看護師用端末番号１７０ｃ０内を索引するための呼び出し順索引用インデックス'Ｉ'を最も物理的に近い場所に所在する看護師用端末１３０を最初に抽出するように、'０'に初期設定する（ステップＡ５１）。しかる後、あらかじめ定めた時間差ごとに'＋１'ずつ更新される呼び出し順索引用インデックス'Ｉ'によって指定された看護師用端末１３０を順次呼び出すための指定看護師用端末呼び出し処理を実施する（ステップＡ５２）。
【００５５】
ここで、指定看護師用端末呼び出し処理の詳細については、図１３のフローチャートを参照して後述するが、指定看護師用端末呼び出し処理においては、まず、ナースコールを行った患者用端末１００または患者用端末２００例えば患者用端末番号'０'の患者用端末１００に対応する呼び出し順看護師用端末番号例えば呼び出し順看護師用端末番号１７０ｃ０内を索引する呼び出し順索引用インデックス'Ｉ'の初期設定値を用いて抽出し、抽出した看護師用端末１３０に対して、何番目に呼び出しを行ったかを示す特別な文字情報を、ステップＡ２１またはステップＡ２３において取得しておいた、ナースコールを行った患者用端末１００または患者用端末２００が所在する場所情報とともに、画面表示した後、呼び出しの順番を示す特別な着信音を出力させて、当該看護師用端末１３０を携行している看護師に通報する。
【００５６】
しかる後、あらかじめ定めた時間が経過する都度、呼び出し順索引用インデックス'Ｉ'を'＋１'ずつカウントアップして、呼び出し順看護師用端末番号例えば呼び出し順看護師用端末番号１７０ｃ０を索引して、次の順番の看護師用端末１３０を抽出して、抽出した看護師用端末１３０に対して、何番目に呼び出しを行ったかを示す特所な文字情報を、ステップＡ２１またはステップＡ２３において取得しておいた、ナースコールを行った患者用端末１００または患者用端末２００が所在する場所情報とともに、画面表示した後、呼び出しの順番を示す特別な着信音を出力させて、当該看護師用端末１３０を携行している看護師に通報するという処理を、全ての看護師用端末１３０に対する呼び出し動作が終了するまで繰り返す。
【００５７】
かくのごとき処理を行うことによって、ナースコールを行った患者用端末１００または患者用端末２００に物理的に近い順にあらかじめ定めた時間差を設けて順次看護師用端末１３０を呼び出すことになる。
【００５８】
なお、「一斉呼び出し」および「時間差呼び出し」のいずれの呼び出し方法においても、詳細は図１２のフローチャートを用いて説明するが、ナースコールを行った患者用端末１００または患者用端末２００が所在する場所から最も近くにいる最寄りの看護師の看護師用端末１３０が、着信可能な空きの状態ではなく、通話中の状態になっている場合や着信が不可能な状態（着信拒否や電源ＯＦＦの状態等）になっている場合には、患者用端末１００または患者用端末２００が所在する場所から距離が近い看護師用端末１３０の順番に、着信可能な状態になっている看護師用端末１３０を検索して、着信可能な看護師用端末１３０の中から、最も近くにいる看護師用端末１３０を、最寄りの看護師用端末１３０として、呼び出すように動作する。
【００５９】
また、ナースコールを行った患者用端末の種類が、移動用の患者用端末２００であった場合には、「一斉呼び出し」および「時間差呼び出し」のいずれの呼び出し方法においても、当該患者用端末２００を携行している患者が誰かという情報を、ナースコール制御装置１１０内にあらかじめ記憶させておき、当該移動用の患者用端末２００を用いてナースコールを行った場合、ステップＡ５０およびステップＡ６０において、最寄りの看護師用端末１３０および最寄り以外の全ての看護師用端末１３０に対して、当該移動用の患者用端末２００を用いてナースコールを行った患者の名前も画面表示することが望ましい。
【００６０】
次に、看護師用端末１３０に対する呼び出し時において、看護師用端末１３０に画面表示する文字情報の表示例と出力させる着信音の種類とについて、図９の模式図を用いて説明する。図９は、患者用端末１００または患者用端末２００から呼び出しがあった際に看護師用端末１３０に対して画面表示する文字情報と看護師用端末１３０から出力する着信音の一例を説明するための模式図である。図９の模式図において、図９（Ａ）は、「一斉呼び出し」の全看護師用端末同時呼び出し方法において、ナースコールを行った固定用の患者用端末１００に物理的に最も近い場所に所在する看護師の看護師用端末１３０に対する画面表示例と着信音とを示しており、例えば、病室２０３に入院している患者の固定用の患者用端末１００からのナースコールであった場合には、当該病室２０３に最も近い場所の看護師用端末１３０に対して'あなたが１番近くにいます！'という特別な文字情報を'病室２０３'という場所情報とともに画面表示し、最寄り用としてあらかじめ定めた着信音を出力させる。
【００６１】
図９（Ｂ）は、「一斉呼び出し」の全看護師用端末同時呼び出し方法において、ナースコールを行った移動用の患者用端末２００に物理的に最も近い場所に所在する看護師の看護師用端末１３０に対する画面表示例と着信音とを示しており、例えば、３階のトイレにいる患者が携行する患者用端末２００からのナースコールであった場合には、当該トイレに最も近い場所の看護師用端末１３０に対して'あなたが１番近くにいます！'という特別な文字情報を'３階トイレ付近'という場所情報と'田中さん'という当該移動用の患者用端末２００を携行している患者名に示す情報とともに画面表示し、最寄り用としてあらかじめ定めた着信音を出力させる。
【００６２】
また、図９（Ｃ）は、「一斉呼び出し」の全看護師用端末同時呼び出し方法において、最寄りの看護師用端末１３０以外の通常用の看護師用端末１３０を呼び出す場合の画面表示例と着信音とを例示しており、画面には文字情報として'病室２０３'との場所情報のみを表示し、通常用の着信音としてあらかじめ定めた着信音を出力させる。
【００６３】
また、「時間差呼び出し」としてあらかじめ定めた時間差を設けて順番に看護師用端末１３０を順次呼び出す時間差呼び出し方法においては、一番早く応答して対応すべき看護師用端末１３０として最初に（第１番目に）呼び出しを行う看護師用端末１３０は、ナースコールを行った患者用端末１００または患者用端末２００に物理的に最も近い場所に所在する看護師の看護師用端末１３０であり、「一斉呼び出し」における最寄り用の場合と同様、当該看護師用端末１３０に対する画面表示例と着信音とは、図９（Ａ）または図９（Ｂ）と同様の着信動作を行う。
【００６４】
一方、「時間差呼び出し」における第２番目以降の呼び出し順の看護師用端末１３０に対する画面表示、着信音については、呼び出しの順番（すなわちナースコールを行った患者に近い順番）を示す文字情報をあらかじめ定めた特別な文字情報として付して、ナースコールを行った患者用端末１００の場所情報とともに画面表示し、さらに、該順番を示す着信音をあらかじめ定めた特別な着信音として出力させる。例えば、第２番目の呼び出し順の看護師用端末１３０に対する画面表示例と着信音とは、図９（Ｄ）に示すように、'あなたが２番目に近いです！'という特別な文字情報を'病室２０３'という場所情報とともに画面表示し、２番目用としてあらかじめ定めた特別な着信音を出力させる。
【００６５】
以上のように、病院等の医療機関に入院している患者が緊急時に患者用端末１００または患者用端末２００を使用して看護師を呼び出そうとする場合に備えて、各看護師がいる場所（位置）を場所の移動が発生する都度またはあらかじめ定めた周期で定期的に収集しておき、各看護師が携行している看護師用端末に対する呼び出しを行う際に、ナースコールを行った患者と看護師との位置関係に応じて、それぞれの看護師用端末に画面表示する文字情報や出力する着信音を変更させるように動作している。
【００６６】
より具体的には、看護師を呼び出す際に、ナースコールを行った患者の最も近い位置に存在する最寄りの看護師が携行している看護師用端末１３０に対して、最も近くにいる看護師であることを明示的に示し、該呼び出しに対して積極的に応答して対応すべき旨を当該看護師に認識させることができるような特別な文字情報表示と特別な着信音とを用いて呼び出すことによって、当該看護師に対し、複数の看護師のうち自分が最も近くに存在していることを通知するようにしている。
【００６７】
また、ナースコールを行った患者の最寄りに存在する看護師の看護師用端末１３０が、着信可能な空きの状態ではなく、通話中の状態にあるか、または、他の患者への対応のために応答することができない状態（着信拒否状態や電源ＯＦＦ状態等の着信が不可能な状態）にあった場合であっても、ナースコールを行った当該患者に対してその次に近くに存在する看護師の看護師用端末１３０が着信可能な状態にあれば、その次に近くに存在する看護師を患者の呼び出しに対応すべき最寄りの看護師と見做して、その旨を特別な文字情報表示と特別な着信音とを用いて通知することも可能にしている。
【００６８】
而して、最寄りである旨を明示的に示す特別な文字情報表示と特別な着信音とを用いた通知を受け取った看護師は、自分がナースコールを行った患者に最も近い位置にいて、当該患者に対応すべき看護師であることを確実に認識することができ、患者の呼び出しに対して積極的に応答して、ナースコールを行った患者と速やかに連絡を取ることができ、いち早く、ナースコールを行った患者の元へ移動することができる。
【００６９】
（看護師用端末の呼び出し順の生成動作例）
次に、図１１のフローチャートのステップＡ３０に示した看護師用端末呼び出し順記憶部生成処理の一例について、図１２のフローチャートを用いて詳細に説明する。図１２は、図８に示す看護師用端末呼び出し順記憶部１７０の設定情報を生成する動作の一例を説明するためのフローチャートであり、固定用の患者用端末１００または移動用の患者用端末２００からの呼び出しに対して、応答して対応すべき看護師用端末１３０の呼び出し順を生成して、ナースコールを行った患者用端末１００または患者用端末２００を示す患者用端末番号に関連付けて、図８の看護師用端末呼び出し順記憶部１７０に設定する動作例を説明している。つまり、前述したように、ナースコールを行った患者用端末１００または患者用端末２００が所在する場所に対して物理的に近い場所に存在している看護師の看護師用端末１３０を優先して呼び出すように、呼び出し順として、ナースコールを行った患者用端末１００または患者用端末２００との物理的な距離が近い順番に看護師用端末番号を図８の看護師用端末呼び出し順記憶部１７０に設定している。
【００７０】
図１２のフローチャートが起動されると、まず、図１０に示す近い順ＣＳ番号リスト１６０の近い順ＣＳ番号１６０ｃ０〜１６０ｃ７内それぞれを索引する際に用いる近い順索引用インデックス 'Ｎ'と図８に示した看護師用端末呼び出し順記憶部１７０の呼び出し順看護師用端末番号１７０ｃ０、１７０ｃ１、…内それぞれを索引する際に用いる呼び出し順索引用インデックス 'Ｉ'とを、ナースコールを行った患者用端末１００または患者用端末２００に最も物理的に近い場所に所在する看護師用端末１３０を最初に抽出するように、'０'に初期設定する（ステップＢ１０）。
【００７１】
ここで、図１０は、図１に示すナースコール制御装置１１０内の近い順ＣＳ番号リスト１６０の一例を示すテーブルであり、２段引きのテーブル構成からなり、親テーブルが基地局番号のＣＳ番号１６０ａと近い順ＣＳ番号リンク情報１６０ｂとからなり、各近い順ＣＳ番号リンク情報１６０ｂによって索引される子テーブルが近い順ＣＳ番号１６０ｃ０〜近い順ＣＳ番号１６０ｃ７から構成されている例を示している。近い順ＣＳ番号リスト１６０には、各構内基地局１２０ごとに、互いの構内基地局１２０間の物理的な距離が近い順番に、各構内基地局１２０の基地局番号（ＣＳ番号）があらかじめ設定登録されている。
【００７２】
つまり、図１０に示す近い順ＣＳ番号リスト１６０の設定例においては、例えば、ＣＳ番号１６０ａが'０'の近い順ＣＳ番号リンク情報１６０ｂの'近い順リンク−０'がリンクしている近い順ＣＳ番号１６０ｃ０には、基地局番号（ＣＳ番号）が'０'の構内基地局１２０との間の物理的な距離が近い順番に、'ＣＳ−０'、'ＣＳ−１'、'ＣＳ−２'、…、'ＣＳ−７'と各構内基地局１２０を特定する基地局番号（ＣＳ番号）があらかじめ設定登録されている例を示している。
【００７３】
また、ＣＳ番号１６０ａが'７'の近い順ＣＳ番号リンク情報１６０ｂの'近い順リンク−７'がリンクしている近い順ＣＳ番号１６０ｃ７には、基地局番号（ＣＳ番号）が'７'の構内基地局１２０との間の物理的な距離が近い順番に、'ＣＳ−７'、'ＣＳ−６'、'ＣＳ−５'、…、'ＣＳ−３'と各構内基地局１２０を特定する基地局番号（ＣＳ番号）があらかじめ設定登録されている例を示している。
【００７４】
図１２のフローチャートの説明に戻って、次に、近い順索引用インデックス 'Ｎ'を参照して、近い順ＣＳ番号リスト１６０内の基地局番号（ＣＳ番号）の全てについてチェック済みになったか否かを確認する（ステップＢ２０）。基地局番号（ＣＳ番号）の全てについてチェック済みになった場合には（ステップＢ２０のＹＥＳ）、看護師用端末呼び出し順記憶部１７０に設定すべき全ての情報の生成処理は終了しているので、図１２のフローチャートを終了する。
【００７５】
これに対して、基地局番号（ＣＳ番号）の全てについてのチェックがまだ終了していない場合には（ステップＢ２０のＮＯ）、図１１のフローチャートのステップＡ２０またはステップＡ２２において取得しておいた、ナースコールを行った患者用端末１００または患者用端末２００が所在している場所に物理的な距離が最も近い構内基地局１２０を特定する最寄り基地局番号（ＣＳ番号）を用いて例えば基地局番号（ＣＳ番号）'０'を用いて、図１０の近い順ＣＳ番号リスト１６０の例えばＣＳ番号１６０ａが'０'の近い順ＣＳ番号リンク情報１６０ｂの'近い順リンク−０'がリンクしている近い順ＣＳ番号１６０ｃ０内を参照して、近い順索引用インデックス'Ｎ'が示す第Ｎ番目の基地局番号（ＣＳ番号）を取得する（ステップＢ３０）。近い順索引用インデックス'Ｎ'の初期設定時には第０番目の基地局番号（ＣＳ番号）すなわち最寄りの構内基地局１２０を特定する基地局番号（ＣＳ番号）例えば基地局番号（ＣＳ番号）'０'が取得されることになる。
【００７６】
次に、図７に示す収容看護師用端末番号記憶部１５０の収容看護師用端末番号１５０ｃ０〜１５０ｃ７内それぞれを索引する際に用いる収容索引用インデックス'Ｍ'を'０'に初期設定する（ステップＢ４０）。しかる後、ステップＢ３０にて取得した、近い順索引用インデックス'Ｎ'が示す第Ｎ番目の基地局番号（ＣＳ番号）例えば基地局番号（ＣＳ番号）'０'を用いて、図７に示す収容看護師用端末番号記憶部１５０のＣＳ番号１５０ａにおける収容看護師用端末リンク情報１５０ｂがリンクしている収容看護師用端末番号例えば収容看護師用端末番号１５０ｃ０を参照し、該収容看護師用端末番号内例えば収容看護師用端末番号１５０ｃ０内において収容索引用インデックス'Ｍ'が示す第Ｍ番目の看護師用端末番号を取り出す（ステップＢ５０）。
【００７７】
次いで、近い順索引用インデックス'Ｎ'が示す第Ｎ番目の基地局番号（ＣＳ番号）例えば基地局番号（ＣＳ番号）'０'が示す構内基地局１２０に収容されている看護師用端末１３０の収容看護師用端末番号例えば収容看護師用端末番号１５０ｃ０について、ステップＢ５０にて取り出した第Ｍ番目の看護師用端末番号が存在していたか否かを確認する（ステップＢ６０）。
【００７８】
第Ｍ番目（初期設定時には、収容看護師用端末番号例えば収容看護師用端末番号１５０ｃ０の先頭の第０番目）の看護師用端末番号が存在していなかった場合には（ステップＢ６０のＮＯ）、近い順索引用インデックス'Ｎ'が示す第Ｎ番目の基地局番号（ＣＳ番号）例えば基地局番号（ＣＳ番号）'０'の構内基地局１２０の無線通信エリアには、現時点では看護師用端末１３０が存在していない状態にあるものと判定する。したがって、ナースコールを行った患者用端末１００または患者用端末２００に対して物理的な距離が次に近い場所に配置されている構内基地局１２０に看護師用端末１３０が収容されているか否かを確認するために、近い順索引用インデックス'Ｎ'を'＋１'加算して（ステップＢ６１）、ステップＢ２０に復帰する。
【００７９】
一方、第Ｍ番目（初期設定時には、収容看護師用端末番号例えば収容看護師用端末番号１５０ｃ０の先頭の第０番目）の看護師用端末番号が存在していた場合には（ステップＢ６０のＹＥＳ）、近い順索引用インデックス'Ｎ'が示す第Ｎ番目の基地局番号（ＣＳ番号）例えば基地局番号（ＣＳ番号）'０'の構内基地局１２０の無線通信エリアに看護師用端末１３０が存在している場合であり、第Ｍ番目（初期設定時は第０番目）の看護師用端末番号の看護師用端末１３０が着信可能な状態にあるか否かを確認する（ステップＢ７０）。つまり、当該看護師用端末１３０が、呼び出し中や通話中の状態あるいは着信拒否状態や電源ＯＦＦ状態ではなく、着信することが可能な空きの状態になっているか否かを確認する。
【００８０】
第Ｍ番目（初期設定時は第０番目）の看護師用端末番号の看護師用端末１３０が着信可能な状態ではなかった場合には（ステップＢ７０のＮＯ）、当該看護師用端末１３０を呼び出すことができない状態にあるので、近い順索引用インデックス'Ｎ'が示す第Ｎ番目の基地局番号（ＣＳ番号）例えば基地局番号（ＣＳ番号）'０'の構内基地局１２０の無線通信エリアに在圏している他の看護師用端末１３０がまだ存在しているか否かを確認するために、収容索引用インデックス'Ｍ' を'＋１'加算して（ステップＢ７１）、ステップＢ５０に復帰する。
【００８１】
一方、第Ｍ番目（初期設定時は第０番目）の看護師用端末番号の看護師用端末１３０が着信可能な状態にあった場合には（ステップＢ７０のＹＥＳ）、当該看護師用端末１３０を呼び出すことができる状態にあるので、当該看護師用端末１３０の看護師用端末番号を、図８に示した看護師用端末呼び出し順記憶部１７０の呼び出し順看護師用端末番号１７０ｃ０、１７０ｃ１、…のうち、ナースコールを行った患者用端末１００または患者用端末２００に関する呼び出し順を設定登録する呼び出し順看護師用端末番号例えば呼び出し順看護師用端末番号１７０ｃ０内の、呼び出し順索引用インデックス'Ｉ'が示す第Ｉ番目（初期状態時には第０番目）に設定登録する（ステップＢ８０）。つまり、初期設定時の第０番目には、呼び出し順が最も優先する看護師用端末１３０として、ナースコールを行った患者用端末１００または患者用端末２００に物理的な距離が最も近い最寄りの看護師用端末１３０の看護師用端末番号が設定登録されることになる。
【００８２】
しかる後、当該呼び出し順看護師用端末番号例えば呼び出し順看護師用端末番号１７０ｃ０内の看護師用端末番号の次の設定登録位置に更新するために、呼び出し順索引用インデックス'Ｉ'を'＋１' 加算し（ステップＢ９０）、さらに、近い順索引用インデックス'Ｎ'が示す第Ｎ番目の基地局番号（ＣＳ番号）例えば基地局番号（ＣＳ番号）'０'の構内基地局１２０の無線通信エリアに在圏している他の看護師用端末１３０がまだ存在しているか否かを確認するために、収容索引用インデックス'Ｍ' を'＋１'加算した後（ステップＢ７１）、ステップＢ５０に復帰する。
【００８３】
以上のように、近い順索引用インデックス'Ｎ'が示す第Ｎ番目の基地局番号（ＣＳ番号）例えば基地局番号（ＣＳ番号）'０'の構内基地局１２０の無線通信エリアに在圏している次の看護師用端末１３０がなくなるまで、収容索引用インデックス'Ｍ' および呼び出し順索引用インデックス'Ｉ'を'＋１'ずつ加算して、図８の看護師用端末呼び出し順記憶部１７０に看護師用端末番号を設定登録する動作を繰り返すとともに、さらに、全ての構内基地局１２０に対して同様の設定登録動作が終了するまで、近い順索引用インデックス'Ｎ'を'＋１'ずつ加算して、図８の看護師用端末呼び出し順記憶部１７０に看護師用端末番号を設定登録する動作を繰り返すことによって、看護師用端末呼び出し順記憶部１７０には、ナースコールを行った患者用端末１００または患者用端末２００に対して物理的な距離が近い順に着信可能な状態の看護師用端末１３０の看護師用端末番号が順次設定登録されることになる。
【００８４】
（指定看護師用端末の時間差呼び出し動作例）
次に、図１１のフローチャートのステップＡ５２に示した指定看護師用端末呼び出し処理の一例について、図１３のフローチャートを用いて詳細に説明する。図１３は、患者用端末１００または患者用端末２００からの呼び出しに対応すべき看護師用端末１３０を順次指定して時間差呼び出しを行う動作の一例を説明するためのフローチャートであり、図８に示す看護師用端末呼び出し順記憶部１７０の設定情報を参照して、固定用の患者用端末１００または移動用の患者用端末２００からのナースコールに対して、応答して対応すべき看護師用端末１３０の呼び出し順に、順次指定した看護師用端末１３０をあらかじめ定めた時間差ごとに呼び出す動作例を説明している。つまり、前述したように、図８の看護師用端末呼び出し順記憶部１７０の設定内容にしたがって、ナースコールを行った患者用端末１００または患者用端末２００が所在する場所に対して物理的に近い場所に存在している看護師の看護師用端末１３０の順番に優先して順次呼び出すように動作する。
【００８５】
図１１のフローチャートのステップＡ５１において、図８に示す看護師用端末呼び出し順記憶部１７０の呼び出し順看護師用端末番号１７０ｃ０、呼び出し順看護師用端末番号１７０ｃ１、呼び出し順看護師用端末番号１７０ｃ２、…内それぞれを索引するための呼び出し順索引用インデックス'Ｉ'が'０'に初期設定された状態で、図１３のフローチャートが起動されると、まず、指定看護師用端末呼び出し処理を強制的に終了させることを指示する強制終了フラグをＯＦＦに初期設定する（ステップＣ１０）。しかる後、'０'に初期設定された呼び出し順索引用インデックス'Ｉ'の値を用いて、図８に示す看護師用端末呼び出し順記憶部１７０の呼び出し順看護師用端末番号１７０ｃ０、呼び出し順看護師用端末番号１７０ｃ１、呼び出し順看護師用端末番号１７０ｃ２、…のうち、ナースコールを行った患者用端末１００または患者用端末２００に関する呼び出し順を設定登録する呼び出し順看護師用端末番号例えば呼び出し順看護師用端末番号１７０ｃ０内の第Ｉ番目（初期状態では第０番目）の看護師用端末番号を第Ｉ番目の呼び出し順の看護師用端末１３０を示す看護師用端末番号として取得する（ステップＣ２０）。
【００８６】
次に、第Ｉ番目（初期状態では第０番目）の呼び出し順として取得した看護師用端末番号の看護師用端末１３０を呼び出すために、図９（Ｄ）の模式図に示したように、まず、'あなたは第Ｉ番目に近いです！'という近い順番を明示的に特別な文字情報とともに、図１１のフローチャートのステップＡ２１またはステップＡ２３において取得されている患者用端末１００または患者用端末２００の場所情報を示す文字情報を、当該看護師用端末１３０に画面表示する（ステップＣ３０）。さらに、第Ｉ番目の呼び出し順（すなわち第Ｉ番目に近い順番）であることを明示的に示す特別な着信音を出力させて、当該看護師用端末１３０を携行している看護師に通報する（ステップＣ４０）。
【００８７】
しかる後、図８に示す看護師用端末呼び出し順記憶部１７０から次の呼び出し順の看護師用端末１３０を抽出するために、呼び出し順索引用インデックス'Ｉ'を'＋１'加算する（ステップＣ５０）。次いで、'＋１'加算した呼び出し順索引用インデックス'Ｉ'を用いて図８の看護師用端末呼び出し順記憶部１７０の呼び出し順看護師用端末番号例えば呼び出し順看護師用端末番号１７０ｃ０を参照して、新たな第Ｉ番目の呼び出し順の看護師用端末１３０を示す看護師用端末番号が設定登録されているか否かを確認する（ステップＣ６０）。新たな第Ｉ番目の呼び出し順の看護師用端末番号が図８の看護師用端末呼び出し順記憶部１７０が設定登録されていない場合は（ステップＣ６０のＮＯ）、全ての看護師用端末１３０に対する時間差呼び出し動作が完了している状態にあるので、図１３のフローチャートに示す動作を終了する。
【００８８】
一方、新たな第Ｉ番目の呼び出し順の看護師用端末番号が図８の看護師用端末呼び出し順記憶部１７０が設定登録されていた場合には（ステップＣ６０のＹＥＳ）、新たな第Ｉ番目の呼び出し順の看護師用端末番号の看護師用端末１３０を、あらかじめ定めた時間差だけ経過した後に、時間差呼び出しを行うために、呼び出しタイマを起動する（ステップＣ７０）。該呼び出しタイマが、あらかじめ定めた時間差に達していなく、満了していない場合は（ステップＣ８０のＮＯ）、次の呼び出し順の看護師用端末１３０に対する呼び出し動作を待ち合わせることになるが、待ち合わせ中に、強制終了フラグがＯＮに切り替わったか否かを確認する（ステップＳ９０）。
【００８９】
ここで、強制終了フラグは、ステップＣ１０にてＯＦＦに初期設定されている。しかし、時間差呼び出しにより既に呼び出しを行った看護師用端末１３０のいずれかが応答した場合には、まだ、呼び出しを行っていない看護師用端末１３０が残っていたとしても、さらなる時間差呼び出しを行う必要はない。したがって、図１４のフローチャートにて後述するように、看護師用端末１３０のいずれかが応答した場合には、強制終了フラグをＯＮに設定して、時間差呼び出し動作を強制的に終了するように指示してくる。
【００９０】
図１３のフローチャートの説明に戻って、強制終了フラグがＯＮに切り替わっていた場合には（ステップＣ９０のＯＮの場合）、時間差呼び出し動作を強制的に終了させて、図１３のフローチャートに示す動作を終了させる。一方、強制終了フラグがＯＦＦの場合には（ステップＣ９０のＯＦＦの場合）、ステップＣ８０に戻って、あらかじめ定めた時間差に達し、該呼び出しタイマが満了したか否かを確認する動作を繰り返す。
【００９１】
あらかじめ定めた時間差に達し、該呼び出しタイマが満了した場合には（ステップＣ８０のＹＥＳ）、次に時間差呼び出しを行うべき時間差に達したので、新たな第Ｉ番目の呼び出し順の看護師用端末番号の看護師用端末１３０に対する呼び出し動作を行うために、ステップＣ２０に復帰する。
【００９２】
以上のような時間差呼び出しを行うことにより、離れた場所にいる複数の患者が同時にそれぞれの患者用端末１００または患者用端末２００を使用して看護師を呼び出そうとする場合に、あらかじめ定めた時間差ずつずらしたタイミングで、ナースコールを行った各患者それぞれとの距離が近い順番に看護師を順次呼び出すことを可能にしている。なお、各看護師がいる場所（位置）は、場所の移動が発生する都度またはあらかじめ定めた周期で定期的に収集されている。
【００９３】
すなわち、離れた場所にいる複数の患者からのナースコールに対して各看護師の看護師用端末１３０を同時に一斉に呼び出そうとしても、各看護師の看護師用端末１３０は全ていずれか最初の患者からの呼び出し状態に移行してしまって、いずれかの看護師用端末１３０が応答するまでの間、他の患者からの呼び出しを行うことができなくなるが、あらかじめ定めた時間ずつずらして順次呼び出すという時間差呼び出しを行うことにより、かかる事態を回避することができ、それぞれの患者の近くにいる看護師を別々に呼び出すことができる。
【００９４】
また、時間差呼び出しを行う際に、各看護師の看護師用端末１３０に対する呼び出し順を示す特別な文字情報の画面表示と特別な着信音の出力とにより、各看護師は、自分が何番目に呼び出されているかを認識することができる。而して、第１番目に呼び出された看護師は、自分がナースコールを行った患者に最も近い位置にいて、当該患者に対応すべき看護師であることを認識することができ、患者の呼び出しに対して積極的に応答して、ナースコールを行った患者と速やかに連絡を取ることができ、いち早く、ナースコールを行った患者の元へ移動することができる。
【００９５】
なお、図１３のフローチャートに示す時間差呼び出しにより、図８に示す看護師用端末呼び出し順記憶部１７０に設定登録されている看護師用端末１３０の順番にしたがって、看護師用端末１３０をあらかじめ定めた時間差ごとに順次呼び出す動作を繰り返している途中において、呼び出した看護師用端末１３０のいずれかが応答した場合、前述したように、まだ、呼び出しを行っていない看護師用端末１３０が残っていたとしても、あらかじめ定めた時間差の時間が経過する都度、さらなる呼び出しを繰り返す必要はない。したがって、呼び出した看護師用端末１３０のいずれかが応答した場合、図１４に示すフローチャートを起動するようにしている。図１４は、呼び出し順にあらかじめ定めた時間差ごとに看護師用端末１３０の時間差呼び出しを行っている最中に、既に呼び出しを行った看護師用端末１３０のいずれかが応答した場合の動作を説明するためのフローチャートである。
【００９６】
呼び出し順にあらかじめ定めた時間差ごとに看護師用端末１３０の時間差呼び出しを行っている最中に、既に呼び出しを行った看護師用端末１３０のいずれかが応答した場合には、残りの看護師用端末１３０に対するさらなる呼び出しを行う必要はないにも関わらず、図１３のステップＣ６０において、呼び出しタイマが起動されている状態になっているので、図１４のフローチャートに示すように、まず、該呼び出しタイマを停止させる（ステップＤ１０）。さらに、図１３の指定看護師用端末呼び出し処理を強制的に終了させるために、強制終了フラグをＯＮに設定した後（ステップＤ２０）、図１４のフローチャートの動作を終了する。
【００９７】
なお、図１３に示した時間差呼び出しのフローチャートにおいては、各看護師用端末１３０を呼び出す際に、呼び出しの順番（すなわち、ナースコールを行った患者用端末１００または患者用端末２００に近い順番）を示す特別な文字情報の画面表示および特別な着信音の出力を行う場合について説明したが、場合によっては、最寄りの看護師用端末１３０については、図９（Ａ）や図９（Ｂ）に示すように、最寄りであることを示す特別な文字情報の画面表示および特別な着信音の出力を行い、最寄りではないその他の看護師用端末１３０については、図９（Ｃ）に示すように、通常用の文字情報の画面表示および通常用の着信音の出力を行うようにしても良い。
【００９８】
また、以上の実施形態の説明においては、看護師用端末１３０や移動用の患者用端末２００としてＰＨＳ端末を用い、構内基地局１２０としてＰＨＳ用基地局を用いる場合について説明したが、本発明は、かかる場合のみに限るものではない。例えば、看護師用端末１３０や移動用の患者用端末２００として無線ＬＡＮ端末（無線ＬＡＮ子機）を用いても良く、かかる場合には、構内基地局１２０として無線ＬＡＮアクセスポイント（親局）を用いることになる。
【００９９】
（実施形態の効果の説明）
以上に詳細に説明したように、本実施形態におけるナースコールシステムにおいては、次のような効果を奏することができる。 
【０１００】
第１に、ナースコールを行った患者と各看護師との位置関係に基づいて、ナースコールを行った患者の場所から最も近くにいる看護師が携行している看護師用端末１３０に対して、最寄りであることを示す特別な文字情報の画面表示と特別な着信音の出力とにより呼び出しを行うことが可能になるので、最も近くにいる看護師は、自分がナースコールを行った患者の最も近くにいて、該患者の呼び出しに応答して対応すべき看護師であることを確実に認識することができる。而して、ナースコールを行った患者の最も近くにいる看護師は、自分が対応すべき看護師であることを積極的に意識して応答することができるようになり、結果として、ナースコールを行った患者の元へ速やかに移動することができる。
【０１０１】
第２に、ナースコールを行った患者と各看護師との位置関係に基づいて、ナースコールを行った患者の場所から近くにいる看護師の順に、あらかじめ定めた時間差ずつずらして、各看護師が携行している看護師用端末１３０を順次呼び出すことも可能になる。而して、離れた場所にいる複数の患者が同時に看護師を呼び出そうとする場合に、全ての看護師の看護師用端末１３０に対して同時に一斉呼び出しを行う場合とは異なり、それぞれの患者の近くにいる看護師を別々に呼び出すことができるので、それぞれの患者の元へ別々の看護師が速やかに移動することができる。
【０１０２】
なお、本実施形態の説明においては、病院等の医療機関におけるナースコールに適用する場合について説明したが、本発明は、場合によっては、医療機関以外における緊急連絡用として利用することも可能である。例えば、ホテル等の宿泊施設に適用して、或る客室に宿泊中のお客様からフロントに対してボーイの派遣要請があった際に、当該客室の近傍にいるボーイの通信端末に対してフロントから連絡を取って、最寄りまたは次に近いボーイを当該客室に派遣するようにすることも可能である。あるいは、会社や工場等に適用して、問題発生時の担当者との緊急連絡用として用いることも可能である。
【０１０３】
以上、本発明の好適な実施形態の構成を説明した。しかし、かかる実施形態は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。
【符号の説明】
【０１０４】
１００      患者用端末
１１０      ナースコール制御装置
１２０      構内基地局
１３０      看護師用端末
１４０      最寄りＣＳ番号リスト
１４０ａ    部屋番号
１４０ｂ    最寄りＣＳ番号
１５０      収容看護師用端末番号記憶部
１５０ａ    ＣＳ番号
１５０ｂ    収容看護師用端末リンク情報
１５０ｃ０  収容看護師用端末番号
１５０ｃ７  収容看護師用端末番号
１６０      近い順ＣＳ番号リスト
１６０ａ    ＣＳ番号
１６０ｂ    近い順ＣＳ番号リンク情報
１６０ｃ０  近い順ＣＳ番号
１６０ｃ７  近い順ＣＳ番号
１７０      看護師用端末呼び出し順記憶部
１７０ａ    患者用端末番号
１７０ｂ    呼び出し順看護師用端末リンク情報
１７０ｃ０  呼び出し順看護師用端末番号
１７０ｃ１  呼び出し順看護師用端末番号
１７０ｃ２  呼び出し順看護師用端末番号
１８０      患者用端末（固定用）場所情報リスト
１８０ａ    部屋番号
１８０ｂ    患者用端末（固定用）場所情報
１９０      患者用端末（移動用）場所情報リスト
１９０ａ    ＣＳ番号
１９０ｂ    患者用端末（移動用）場所情報
２００      患者用端末
【図１】
2014204751.tif 000003
【図２】
2014204751.tif 000004
【図３】
2014204751.tif 000005
【図４】
2014204751.tif 000006
【図５】
2014204751.tif 000007
【図６】
2014204751.tif 000008
【図７】
2014204751.tif 000009
【図８】
2014204751.tif 000010
【図９】
2014204751.tif 000011
【図１０】
2014204751.tif 000012
【図１１】
2014204751.tif 000013
【図１２】
2014204751.tif 000014
【図１３】
2014204751.tif 000015
【図１４】
2014204751.tif 000016